【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
Ａ）アミノシランと環状カーボネートおよび／またはラクトンとの反応から得ることができるシラン基含有ヒドロキシウレタンおよび／またはヒドロキシアミドの少なくとも１種と、
Ｂ）Ａ）のＮＣＯ反応性基に基づいてモル過剰量の、脂肪族的、脂環式的、芳香脂肪族的および／または芳香族的結合イソシアネート基含有ジイソシアネートの少なくとも１種とを反応させ、
任意に、その後に未反応過剰ジイソシアネートを除去する
ことを含んでなる、アロファネート基含有ポリイソシアネートの製造方法。
【請求項２】
Ａ）が、一般式（I）：
【化１】
2009030050.tif 000001
［式中、Ｒ１、Ｒ２およびＲ３は、同じかまたは異なって、酸素、イオウおよび窒素からなる群から選択される３個までのヘテロ原子を場合により有していてよい１８個までの炭素原子を含有する、飽和または不飽和、直鎖または分枝、脂肪族または脂環式或いは場合により置換されていてよい芳香族または芳香脂肪族基であり；
Ｘは、２つまでのイミノ（−ＮＨ−）基を場合により有していてよい少なくとも２個の炭素原子を含有する、直鎖または分枝有機基であり；および
Ｒ４は、水素、或いは１８個までの炭素原子を含有する、飽和または不飽和、直鎖または分枝、脂肪族または脂環式或いは場合により置換されていてよい芳香族または芳香脂肪族基、若しくは式：
【化２】
2009030050.tif 000002
（式中、Ｒ１、Ｒ２、Ｒ３およびＸは、上記した通りである。）
で示される基である。］
で示されるアミノシランと環状カーボネートおよび／またはラクトンとの反応生成物を含む、請求項１に記載の方法。
【請求項３】
Ａ）が、３−アミノプロピルトリメトキシシラン、３−アミノプロピルトリエトキシシラン、３−アミノプロピルメチルジメトキシシランおよび／または３−アミノプロピルメチルジエトキシシランと環状カーボネートおよび／またはラクトンとの反応生成物を含む、請求項１に記載の方法。
【請求項４】
アロファネート基の形成を促進する触媒の存在下に反応を実施し、触媒がカルボン酸亜鉛および／またはカルボン酸ジルコニウムを含む、請求項１に記載の方法。
【請求項５】
請求項１に記載の方法によって製造されたアロファネート基含有ポリイソシアネート。
【請求項６】
請求項５に記載のアロファネート基含有ポリイソシアネートを含む被覆組成物。
【請求項７】
請求項６に記載の被覆組成物で被覆された基材。
【手続補正２】
【補正対象書類名】明細書
【補正対象項目名】００３８
【補正方法】変更
【補正の内容】
【００３８】
適当なアミノシランは、例えば以下を包含する：３−アミノプロピルトリメトキシシラン、３−アミノプロピルトリエトキシシラン、３−アミノプロピルメチルジメトキシシラン、３−アミノプロピルメチルジエトキシシラン、３−アミノプロピルエチルジエトキシシラン、３−アミノプロピルジメチルエトキシシラン、３−アミノプロピルジイソプロピルエトキシシラン、３−アミノプロピルトリプロポキシシラン、３−アミノプロピルトリブトキシシラン、３−アミノプロピルフェニルジエトキシシラン、３−アミノプロピルフェニルジメトキシシラン、３−アミノプロピルトリス（メトキシエトキシエトキシ）シラン、２−アミノイソプロピルトリメトキシシラン、４−アミノブチルトリメトキシシラン、４−アミノブチルトリエトキシシラン、４−アミノブチルメチルジメトキシシラン、４−アミノブチルメチルジエトキシシラン、４−アミノブチルエチルジメトキシシラン、４−アミノブチルエチルジエトキシシラン、４−アミノブチルジメチルメトキシシラン、４−アミノブチルフェニルジメトキシシラン、４−アミノブチルフェニルジエトキシシラン、４−アミノ（３−メチルブチル）メチルジメトキシシラン、４−アミノ（３−メチルブチル）メチルジエトキシシラン、４−アミノ（３−メチルブチル）トリメトキシシラン、３−アミノプロピルフェニルメチル−ｎ−プロポキシシラン、３−アミノプロピルメチルジブトキシシラン、３−アミノプロピルジエチルメチルシラン、３−アミノプロピルメチルビス（トリメチルシロキシ）シラン、１１−アミノウンデシルトリメトキシシラン、Ｎ−メチル−３−アミノプロピルトリエトキシシラン、Ｎ−（ｎ−ブチル）−３−アミノプロピルトリメトキシシラン、Ｎ−（２−アミノエチル）−３−アミノプロピルトリメトキシシラン、Ｎ−（２−アミノエチル）−３−アミノイソブチルメチルジメトキシシラン、Ｎ−（２−アミノエチル）−３−アミノプロピルメチルジメトキシシラン、Ｎ−（２−アミノエチル）−３−アミノプロピルトリス（２−エチルヘキソキシ）シラン、Ｎ−（６−アミノヘキシル）−３−アミノプロピルトリメトキシシラン、Ｎ−ベンジル−Ｎ−（２−アミノエチル）−３−アミノプロピルトリメトキシシラン、ビス（３−トリメトキシシリルプロピル）アミン、ビス（３−トリエトキシシリルプロピル）アミン、（アミノエチルアミノメチル）フェネチルトリメトキシシラン、Ｎ−ビニルベンジル−Ｎ−（２−アミノエチル）−３−アミノプロピルポリシロキサン、３−ウレイドプロピルトリエトキシシラン、３−（ｍ−アミノフェノキシ）プロピルトリメトキシシラン、ｍ−および／またはｐ−アミノフェニルトリメトキシシラン、３−（３−アミノプロポキシ）−３，３−ジメチル−１−プロペニルトリメトキシシラン、３−アミノプロピルメチルビス（トリメチルシロキシ）シラン、３−アミノプロピルトリス（トリメチルシロキシ）シラン、３−アミノプロピルペンタメチルジシロキサンまたはこのようなアミノシランの所望の混合物。
【手続補正３】
【補正対象書類名】明細書
【補正対象項目名】００４５
【補正方法】変更
【補正の内容】
【００４５】
適当なラクトンは、例えば環内に３〜６個の炭素原子を含有するものであり、所望により置換されていてもよく、その例は以下を包含する：β−プロピオラクトン、β−ブチロラクトン、α−メチル−γ−ブチロラクトン、γ−バレロラクトン、γ−フェニル−γ−ブチロラクトン、α，α−ジフェニル−γ−ブチロラクトン、γ−ヘキサラクトン（γ−カプロラクトン）、γ−ヘプタラクトン、γ−オクタラクトン、γ−ノナラクトン、γ−デカラクトン、γ−ウンデカラクトン、γ−ドデカラクトン、γ−メチル−γ−デカノラクトン、α−アセチル−γ−ブチロラクトン、δ−バレロラクトン、δ−ヘキサノラクトン、δ−オクタノラクトン、δ−ノナノラクトン、δ−デカラクトン、δ−ウンデカラクトン、δ−トリデカラクトン、δ−テトラデカラクトン、γ−エチル−γ−ブチル−δ−バレロラクトン、オクタヒドロクマリン、ε−カプロラクトン、γ−フェニル−ε−カプロラクトン、ε−デカラクトンまたはこのようなラクトンの所望の混合物。好ましいラクトンは、β−プロピオラクトン、γ−ブチロラクトン、γ−バレロラクトン、γ−カプロラクトンおよび／またはε−カプロラクトンである。
【手続補正４】
【補正対象書類名】明細書
【補正対象項目名】００５２
【補正方法】変更
【補正の内容】
【００５２】
本発明の方法は、熱開始アロファネート化として触媒なしで実施できる。しかしながら好ましくは、アロファネート化反応を促進するため、適当な触媒を使用する。これらの触媒は、典型的な既知のアロファネート化触媒であり、その例は、英国特許公開第０  ９９４  ８９０号公報に記載のタイプの金属カーボネート、金属キレートまたは第三級アミン、米国特許第３  ７６９  ３１８号明細書に記載のタイプのアルキル化剤、または欧州特許公開第０  ０００  １９４号公報に例として記載されている強酸である。
【手続補正５】
【補正対象書類名】明細書
【補正対象項目名】００５３
【補正方法】変更
【補正の内容】
【００５３】
適当なアロファネート化触媒は、特に以下を包含する：亜鉛化合物（例えば、ステアリン酸亜鉛（ＩＩ）、ｎ−オクタン酸亜鉛（ＩＩ）、２−エチル−１−ヘキサン酸亜鉛（ＩＩ）、ナフテン酸亜鉛（ＩＩ）または亜鉛（ＩＩ）アセチルアセトネート）、錫化合物（例えば、ｎ−オクタン酸錫（ＩＩ）、２−エチル−１−ヘキサン酸錫（ＩＩ）、ラウリン酸錫（ＩＩ）、酸化ジブチル錫、二塩化ジブチル錫、二酢酸ジブチル錫、ジラウリン酸ジブチル錫、ジマレイン酸ジブチル錫または二酢酸ジオクチル錫）、ジルコニウム化合物（例えば、２−エチル−１−ヘキサン酸ジルコニウム（ＩＶ）、ネオデカン酸ジルコニウム（ＩＶ）、ナフテン酸ジルコニウム（ＩＶ）またはアセチルアセトン酸ジルコニウム（ＩＶ））、アルミニウムトリ（アセト酢酸エチル）、塩化鉄（ＩＩＩ）、オクチル酸カリウム、マンガン化合物、コバルト化合物またはニッケル化合物、並びに強酸（例えば、トリフルオロ酢酸、硫酸、塩酸、臭化水素酸、リン酸または過塩素酸）、或いはこれらの触媒の所望の混合物。
【手続補正６】
【補正対象書類名】明細書
【補正対象項目名】００５７
【補正方法】変更
【補正の内容】
【００５７】
本発明の方法は、好ましくは溶媒を用いずに実施する。しかしながら必要に応じて、出発成分の反応性基に対して不活性である適当な溶媒を使用することもできる。適当な溶媒の例は、従来の典型的な塗料溶媒であり、以下を包含する：酢酸エチル、酢酸ブチル、エチレングリコールモノメチルまたはモノエチルエーテルアセテート、１−メトキシプロプ−２−イルアセテート、３−メトキシ−ｎ−ブチルアセテート、アセトン、２−ブタノン、４−メチル−２−ペンタノン、シクロヘキサノン、トルエン、キシレン、クロロベンゼン、ホワイトスピリット、比較的高い置換度の芳香族、例えば溶媒ナフサの名称で市販されているもの、Ｓｏｌｖｅｓｓｏ（登録商標）、Ｉｓｏｐａｒ（登録商標）、Ｎａｐｐａｒ（登録商標）（ドイツ国ケルン在Deutsche EXXON CHEMICAL GmbH）およびＳｈｅｌｌｓｏｌ（登録商標）（ドイツ国エシュボルン在Deutsche Shell Chemie GmbH）、更には、プロピレングリコールジアセテート、ジエチレングリコールジメチルエーテル、ジプロピレングリコールジメチルエーテル、ジエチレングリコールエチルおよびブチルエーテルアセテート、Ｎ−メチルピロリドンおよびＮ−メチルカプロラクタムのような溶媒、またはこのような溶媒の所望の混合物。